【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
所定の抽出手法に従って映像コンテンツを構成する画像から当該画像の特徴を表すコンテンツ特徴情報を抽出する抽出ステップと、
任意の画像から上記抽出手法に従って抽出された任意画像特徴情報と上記任意の画像の内容を表す画像テキスト情報とが対応付けて登録されたデータベースから、上記コンテンツ特徴情報と類似する上記任意画像特徴情報を検出する検出ステップと、
上記コンテンツ特徴情報の抽出元となった画像の内容を表す内容文字情報として、上記検出ステップにおいて検出された上記任意画像特徴情報に対応付けられた上記画像テキスト情報を上記データベースから取得する取得ステップと
を有する内容文字情報取得方法。
【請求項２】
上記検出ステップでは、
上記コンテンツ特徴情報と類似する上記任意画像特徴情報のうち、上記コンテンツ特徴情報と最も類似する上記任意画像特徴情報を検出する
請求項１に記載の内容文字情報取得方法。
【請求項３】
上記検出ステップでは、
上記任意画像特徴情報をベクトルとして表したとき、上記コンテンツ特徴情報を表すベクトルとの距離が最小となる上記任意画像特徴情報を、上記コンテンツ特徴情報と最も類似する上記任意画像特徴情報として検出する
請求項２に記載の内容文字情報取得方法。
【請求項４】
上記映像コンテンツは、
所定の外部装置から供給されると共に所定の記録部に記録され、
上記抽出ステップでは、
上記外部装置から供給される上記映像コンテンツを構成する上記画像からコンテンツ特徴情報を抽出する
請求項１に記載の内容文字情報取得方法。
【請求項５】
上記映像コンテンツを管理する管理リストに上記内容文字情報を登録する登録ステップ
を有する請求項１に記載の内容文字情報取得方法。
【請求項６】
上記登録ステップでは、
上記取得ステップにおいて取得された上記内容文字情報のうち、取得された回数の多い順に所定の登録数だけ選定された上記内容文字情報を上記管理リストに登録する
請求項５に記載の内容文字情報取得方法。
【請求項７】
上記検出ステップでは、
検出された上記任意画像特徴情報と、上記コンテンツ特徴情報との相関値を算出し、
上記登録ステップでは、
上記取得ステップにおいて取得された上記内容文字情報を、上記相関値の高い順に上記管理リストに登録する
請求項５に記載の内容文字情報取得方法。
【請求項８】
上記映像コンテンツの内容を表示するタイトルの候補として、上記管理リストに登録された上記内容文字情報を表示装置に表示させるタイトル候補表示ステップ
を有する請求項５に記載の内容文字情報取得方法。
【請求項９】
上記タイトル候補表示ステップでは、
上記映像コンテンツが一覧表示された一覧画面を表示すると共に、一覧表示された上記映像コンテンツのうち、ユーザによって一の映像コンテンツが選択された場合に、選択された上記一の映像コンテンツに対応する上記内容文字情報を、上記候補として表示装置に表示させる
請求項８に記載の内容文字情報取得方法。
【請求項１０】
上記表示装置に表示させた上記内容文字情報から一の上記内容文字情報をユーザに選定させる選定ステップと、
上記選定ステップにおいて選定された上記一の内容文字情報を、上記映像コンテンツに対するタイトルとして上記管理リストに登録するタイトル登録ステップと
を有する請求項８に記載の内容文字情報取得方法。
【請求項１１】
上記タイトル候補表示ステップでは、
上記映像コンテンツが一覧表示された一覧画面を表示すると共に、上記タイトル登録ステップにより上記タイトルが上記管理リストに登録されている場合には、上記一覧画面に当該タイトルを表示する一方、上記タイトルが上記管理リストに登録されていない場合には、所定の選定方法によって選定した一の内容文字情報を上記タイトルとして表示する
請求項１０に記載の内容文字情報取得方法。
【請求項１２】
上記タイトル候補表示ステップでは、
上記取得ステップにおいて最も多く取得された上記内容文字情報を選定し、上記一の内容文字情報とする
請求項１１に記載の内容文字情報取得方法。
【請求項１３】
コンピュータに対して、
所定の抽出手法に従って映像コンテンツを構成する画像から当該画像の特徴を表すコンテンツ特徴情報を抽出する抽出ステップと、
任意の画像から上記抽出手法に従って抽出された任意画像特徴情報と上記任意の画像の内容を表す画像テキスト情報とが対応付けて登録されたデータベースから、上記コンテンツ特徴情報と類似する上記任意画像特徴情報を検出する検出ステップと、
上記コンテンツ特徴情報の抽出元となった画像の内容を表す内容文字情報として、上記検出ステップにおいて検出された上記任意画像特徴情報に対応付けられた上記画像テキスト情報を上記データベースから取得する取得ステップと
を実行させる内容文字情報取得プログラム。
【請求項１４】
所定の抽出手法に従って映像コンテンツを構成する画像から当該画像の特徴を表すコンテンツ特徴情報を抽出する特徴情報抽出部と、
任意の画像から上記抽出手法に従って抽出された任意画像特徴情報と上記任意の画像に対応する画像テキスト情報とが対応付けて登録されたデータベースから、上記コンテンツ特徴情報と類似する上記任意画像特徴情報を検出する特徴情報検出部と、
上記コンテンツ特徴情報の抽出元となった画像の内容を表す内容文字情報として、上記特徴情報検出部によって検出された上記任意画像特徴情報に対応付けられた上記画像テキスト情報を上記データベースから取得するテキスト取得部と
を有する内容文字情報取得装置。
【請求項１５】
外部装置から供給される映像コンテンツを記録する記録部と、
所定の抽出手法に従って映像コンテンツを構成する画像から当該画像の特徴を表すコンテンツ特徴情報を抽出する特徴情報抽出部と、
任意の画像から上記抽出手法に従って抽出された任意画像特徴情報と上記任意の画像に対応する画像テキスト情報とが対応付けて登録されたデータベースから、上記コンテンツ特徴情報と類似する上記任意画像特徴情報を検出する特徴情報検出部と、
上記コンテンツ特徴情報の抽出元となった画像の内容を表す内容文字情報として、上記特徴情報検出部によって検出された上記任意画像特徴情報に対応付けられた上記画像テキスト情報を上記データベースから取得するテキスト取得部と、
上記記録部に記録された上記映像コンテンツを管理する管理リストに上記内容文字情報を登録する登録部と
を有する映像コンテンツ記録装置。
【手続補正２】
【補正対象書類名】明細書
【補正対象項目名】００３５
【補正方法】変更
【補正の内容】
【００３５】
すなわち画像解析部３１は、再生映像信号ＤＰが供給されると、例えば再生映像信号ＤＰが有する各フレーム画像を５×５の２５の領域に分割し、この領域ごとに輝度信号（Ｙ信号）のＤＣＴ（Discrete Cosine Transform）係数を算出する。そして２５の領域に対応するＤＣＴ係数を２５次のベクトルとして表し、これをフレーム画像単位ごとの再生映像特徴データＤＳとする。
【手続補正３】
【補正対象書類名】明細書
【補正対象項目名】００５７
【補正方法】変更
【補正の内容】
【００５７】
なお、代表画像選出部３３は、再生映像特徴データＤＳのうち、人物や物体のようなテキスト情報に対応しやすい画像に対応する再生映像特徴データＤＳを選出し、この中から代表特徴データＤＳｒを選定するようにすることができる。この場合、代表画像選出部３１は、代表画像５１のうち、人物や物体に相当する領域のみを周囲よりも明るく表示することにより、ユーザに当該人物や物体に対応する内容を入力することを理解させやすくでき、ユーザに代表画像５１の内容を表す画像テキスト情報ＴＸを的確に入力させ得るようになされている。
【手続補正４】
【補正対象書類名】明細書
【補正対象項目名】００６８
【補正方法】変更
【補正の内容】
【００６８】
そして制御部２は、記録処理中の入力撮像データが有する全ての入力映像特徴データＴＳに対して内容文字情報ＴＸｃを取得する一連の処理を終了すると、テキスト取得部６３は、ＲＡＭに一時記録した内容文字情報ＴＸｃのうち、画像テキストデータベース４２から取得された回数の多い順から例えば１０個の内容文字情報ＴＸｃを選定し、図７に示すように、撮像データ管理リスト４３に登録する。
【手続補正５】
【補正対象書類名】明細書
【補正対象項目名】００７２
【補正方法】変更
【補正の内容】
【００７２】
このように、ハードディスクレコーダ１では、撮像データの記録処理の際に、入力映像信号ＴＰから入力映像特徴データＴＳを抽出し、画像テキストデータベース４２に登録された蓄積特徴データＤＳａのうち、この入力映像特徴データＴＳと最も近い最小蓄積特徴データＤＳａｎを特定し、最小蓄積特徴データＤＳａｎに対応する画像テキスト情報ＴＸを入力映像特徴データＴＳの抽出元となるフレーム画像の内容を表す内容文字情報ＴＸｃとして取得すると共に、当該内容文字情報ＴＸｃを記録済撮像データの内容を示唆するタイトル候補テキストＴＩとして登録するようにした。
【手続補正６】
【補正対象書類名】明細書
【補正対象項目名】００９０
【補正方法】変更
【補正の内容】
【００９０】
一方、タイトル付加部６４は、表示されている記録済撮像データに基づいて「富士山」に対応付けられて登録された代表特徴情報識別子Ｔｉｄｒが存在しない場合には、他の記録済撮像データに基づいて「富士山」に対応付けられた一の代表特徴情報識別子Ｔｉｄｒを選択し、この代表特徴情報識別子Ｔｉｄｒが表す蓄積特徴データＤＳａと最も類似する入力映像特徴データＴＳを検出し、検出された入力映像特徴データＴＳの特徴情報識別子Ｔｉｄを特定して撮像データ管理リスト４３のサムネイル欄Ｃｓに登録すると共に、当該代表特徴情報識別子Ｔｉｄｒに対応する画像をサムネイル画像として、サムネイル画像表示領域７１に表示する。
【手続補正７】
【補正対象書類名】明細書
【補正対象項目名】００９６
【補正方法】変更
【補正の内容】
【００９６】
これにより、ハードディスクレコーダ１は、表示されたタイトル候補テキストＴＩの中から選択するだけの簡易な作業で記録済撮像データのタイトルをユーザに決定させることができ、撮像データ管理リスト４３へのタイトルの入力作業を簡易にし得るようになされている。
【手続補正８】
【補正対象書類名】明細書
【補正対象項目名】０１００
【補正方法】変更
【補正の内容】
【０１００】
ステップＳＰ３において、制御部２は、例えばシーンチェンジの有無により、供給された再生映像特徴データＤＳが代表特徴データＤＳｒであるか否かについて判別し、否定結果が得られた場合、制御部２は、ステップＳＰ１へ戻り、次の再生映像特徴データＤＳについての処理を開始する。
【手続補正９】
【補正対象書類名】明細書
【補正対象項目名】０１１６
【補正方法】変更
【補正の内容】
【０１１６】
ここで否定結果が得られた場合、このことは最小距離を有する最小蓄積特徴データＤＳａｎと入力映像特徴データＴＳとが類似していないことを表しており、このとき制御部２は、ステップＳＰ２１へ戻り、次の入力映像特徴データＴＳについての処理を開始する。
【手続補正１０】
【補正対象書類名】明細書
【補正対象項目名】０１１８
【補正方法】変更
【補正の内容】
【０１１８】
ステップＳＰ２５において、制御部２は、画像テキストデータベース４２から最小蓄積特徴データＤＳａｎに対応する内容文字情報ＴＸｃを取得し、これを入力映像信号ＴＰに対応する内容文字情報ＴＸｃとしてＲＡＭ（図示せず）に一時記録すると、次のステップＳＰ２６へ移る。
【手続補正１１】
【補正対象書類名】明細書
【補正対象項目名】０１１９
【補正方法】変更
【補正の内容】
【０１１９】
ステップＳＰ２６において、制御部２は、記録処理中の入力撮像データにおける全ての入力映像特徴データＴＳに対する処理を終了したか否かについて判別し、否定結果が得られた場合、制御部２は、ステップＳＰ２１へ戻り、次の入力映像信号ＴＰに対する処理を開始する。
【手続補正１２】
【補正対象書類名】明細書
【補正対象項目名】０１３４
【補正方法】変更
【補正の内容】
【０１３４】
またハードディスクレコーダ１は、ユーザ自身が代表画像５１に対応する画像テキスト情報ＴＸを設定するデータベース生成処理によって生成された画像テキストデータベース４２から内容文字情報ＴＸｃを取得するようにしたことにより、ユーザの好みに応じて登録された画像テキスト情報ＴＸを内容文字情報ＴＸｃとして取得することができる。
【手続補正１３】
【補正対象書類名】明細書
【補正対象項目名】０１４０
【補正方法】変更
【補正の内容】
【０１４０】
特徴データ照合部６２は、相関値の高い順で内容文字情報ＴＸｃを登録する場合、入力映像特徴データＴＳと蓄積特徴データＤＳａとを照合する際に、これらの相関値を算出してＲＡＭに一時記録しておく。そしてテキスト取得部６３は、相関値の高い蓄積特徴データＤＳａに対応する内容文字情報ＴＸｃから撮像データ管理リスト４３に登録するようにする。これにより制御部２は、入力映像信号ＴＰが表す画像の内容を的確に表している可能性が一段と高い内容文字情報ＴＸｃを優先的に撮像データ管理リスト４３に登録することができる。
【手続補正１４】
【補正対象書類名】明細書
【補正対象項目名】０１４３
【補正方法】変更
【補正の内容】
【０１４３】
さらに上述の実施の形態においては、入力映像特徴データＴＳに対して最小距離を有する最小蓄積特徴データＤＳａｎに対応する画像を入力映像特徴データＴＳと最も類似すると判別するようにした場合について述べたが、本発明はこれに限らず、例えば入力映像特徴データＴＳとの相関値が最も高い蓄積特徴データＤＳａに対応する画像を入力映像特徴データＴＳと最も類似すると判別するようにしても良い。
【手続補正１５】
【補正対象書類名】明細書
【補正対象項目名】０１４７
【補正方法】変更
【補正の内容】
【０１４７】
さらに上述の実施の形態においては、入力撮像データからフレーム画像ごとに入力映像特徴データＴＳを生成するようにした場合について述べたが、本発明はこれに限らず、例えばフィールド画像ごとに入力映像特徴データＴＳを生成するようにしても良い。
【手続補正１６】
【補正対象書類名】明細書
【補正対象項目名】０１４９
【補正方法】変更
【補正の内容】
【０１４９】
さらに上述の実施の形態においては、撮像データ管理リスト４３のタイトル欄Ｃｔにタイトルが登録されていない場合には、撮像データ一覧画面７０のタイトル表示欄７３には空白が表示されるようにした場合について述べたが、本発明はこれに限らず、例えば、撮像データ管理リスト４３に最初に登録されているタイトル候補テキストＴＩをタイトル表示欄７３に表示するようにしても良い。
【手続補正１７】
【補正対象書類名】図面
【補正対象項目名】図８
【補正方法】変更
【補正の内容】
【図８】
2008109290.tif 000001